(57)【要約】      （修正有）【課題】トレイに満たされた水に錠剤状の電解促進剤である塩化ナトリウムを投入し、電気分解によって得た次亜塩素酸水をフィルタに含浸させ、フィルタ部材へ吸込口より取り込んだ空気を通過させて空気の殺菌を行う殺菌装置において、錠剤状の電解促進剤の投入の定量性と簡便性を保持したまま、素早く溶かすことのできる空間殺菌装置を提供する。【解決手段】錠剤状の電解促進剤を電解促進剤ストッパー２４において直接水流にさらす構成としたことで、錠剤状であってもトレイ１０内で素早く溶かすことができる。また、電解促進剤ストッパー２４を備えた移送経路２２の流路を電解促進剤の入れられる最小の幅としたことにより、電解促進剤は速い水流にさらされることになり、より素早くこれを溶かすことができることにより、トレイ１０内における電解促進剤の溶解時間を短くしたことで送風装置の動作開始までの時間が短くなり、除菌脱臭効果を短時間で得る。【選択図】図３
2020049032.tif 000002
【特許請求の範囲】
【請求項１】
筐体に空気の吸込口と吹出口を備え、
前記筐体の内部で、前記吸込口と前記吹出口を連通する通風路と、
次亜塩素酸を含有する次亜塩素酸水を保持するトレイと、
前記トレイ内の次亜塩素酸水に含侵している円筒形状体のフィルタと、
前記吸込口から吸込んだ空気を前記フィルタに接触させて前記吹出口から吹き出す送風装置と、前記次亜塩素酸を電気分解で生成する電解手段と、
前記トレイにおいて前記電解手段を配置した電解槽と、
前記トレイにおいて前記フィルタを配置した貯留槽と、
前記電解槽と前記貯留槽を隔てる仕切り板と、
前記仕切り板において前記電解槽で生成された次亜塩素酸の前記貯留槽への移動を引き起こす隙間と、
前記貯留槽の水を前記電解槽へ移送する移送経路と、
前記移送経路とポンプを用いて前記貯留槽の水を前記電解槽へ移送する循環機構と、
電解促進剤が投入される前記移送経路上の投入点と、
前記投入点の下流で前記移送経路を遮るように設けられたメッシュ状の電解促進剤ストッパーと、
前記電解手段と送風手段と給水手段と循環手段を制御して殺菌運転を行う制御部とを備え、
前記投入手段によって前記投入点に投入された電解促進剤は前記電解促進剤ストッパーで保持されたまま前記移送経路を流れる水にさらされる空気浄化装置。
【発明の詳細な説明】
【技術分野】
【０００１】
本発明は、細菌やウィルスなどの浮遊微生物を除去する空間殺菌装置に関する。
【背景技術】
【０００２】
従来この種の空気浄化装置は、吸込み口より取り込んだ空気を次亜塩素酸水に含侵した円筒状のフィルタ部材へ曝露させて、本体内で殺菌を行っていた。次亜塩素酸水は、トレイに満たされた水に電解促進剤である塩化ナトリウムを投入し電気分解を行うことで得られている。また、電解促進剤を定量かつ簡便に投入するためにこれを錠剤化して用いていた。
【先行技術文献】
【特許文献】
【０００３】
【特許文献１】特願２０１８−０６１５０４号公報
【発明の概要】
【発明が解決しようとする課題】
【０００４】
このような従来の空間殺菌装置においては、錠剤状の電解促進剤は、粉末状のものと比較して溶けにくいことが課題であった。
【０００５】
そこで本発明は、上記従来の課題を解決するものであり、電解促進剤の投入の定量性と簡便性を備えたまま、本体トレイ内で素早く溶かすことのできる空間殺菌装置を提供する。
【課題を解決するための手段】
【０００６】
そしてこの目的を達成するために、本発明に係る空間殺菌装置は、筐体に空気の吸込口と吹出口を備え、前記筐体の内部で、前記吸込口と前記吹出口を連通する通風路と、次亜塩素酸を含有する次亜塩素酸水を保持するトレイと、前記トレイ内の次亜塩素酸水に含侵している円筒形状体のフィルタと、前記吸込口から吸込んだ空気を前記フィルタに接触させて前記吹出口から吹き出す送風装置と、前記次亜塩素酸を電気分解で生成する電解手段と、前記トレイにおいて前記電解手段を配置した電解槽と、前記トレイにおいて前記フィルタを配置した貯留槽と、前記電解槽と前記貯留槽を隔てる仕切り板と、前記仕切り板において前記電解槽で生成された次亜塩素酸の前記貯留槽への移動を引き起こす隙間と、前記貯留槽の水を前記電解槽へ移送する移送経路と、前記移送経路とポンプを用いて前記貯留槽の水を前記電解槽へ移送する循環機構と、電解促進剤が投入される前記移送経路上の投入点と、前記投入点の下流で前記移送経路を遮るように設けられたメッシュ状の電解促進剤ストッパーと、前記電解手段と送風手段と給水手段と循環手段を制御して殺菌運転を行う制御部とを備え、前記投入手段によって前記投入点に投入された電解促進剤は前記電解促進剤ストッパーで保持されたまま前記移送経路を流れる水にさらされるものであり、これにより所期の目的を達成するものである。
【発明の効果】
【０００７】
本発明に係る空間殺菌装置は、筐体に空気の吸込口と吹出口を備え、前記筐体の内部で、前記吸込口と前記吹出口を連通する通風路と、次亜塩素酸を含有する次亜塩素酸水を保持するトレイと、前記トレイ内の次亜塩素酸水に含侵している円筒形状体のフィルタと、前記吸込口から吸込んだ空気を前記フィルタに接触させて前記吹出口から吹き出す送風装置と、前記次亜塩素酸を電気分解で生成する電解手段と、前記トレイにおいて前記電解手段を配置した電解槽と、前記トレイにおいて前記フィルタを配置した貯留槽と、前記電解槽と前記貯留槽を隔てる仕切り板と、前記仕切り板において前記電解槽で生成された次亜塩素酸の前記貯留槽への移動を引き起こす隙間と、前記貯留槽の水を前記電解槽へ移送する移送経路と、前記移送経路とポンプを用いて前記貯留槽の水を前記電解槽へ移送する循環機構と、電解促進剤が投入される前記移送経路上の投入点と、前記投入点の下流で前記移送経路を遮るように設けられたメッシュ状の電解促進剤ストッパーと、前記電解手段と送風手段と給水手段と循環手段を制御して殺菌運転を行う制御部とを備え、前記投入手段によって前記投入点に投入された電解促進剤は前記電解促進剤ストッパーで保持されたまま前記移送経路を流れる水にさらされるものであり、電解促進剤は前記電解促進剤ストッパーで保持されたまま移送経路を流れる水にさらされるので、安定して素早く溶かすことができ、より短い時間で運転を開始できる空間殺菌装置を提供することができる。
【図面の簡単な説明】
【０００８】
【図１】本発明の実施の形態１の空間殺菌装置の概略図
【図２】同空間殺菌装置の断面の概略図
【図３】同空間殺菌装置のトレイの平面の概略図（排水手段と排水タンクは省略した図）
【発明を実施するための形態】
【０００９】
本発明の請求項１に係る空気浄化装置は、
筐体に空気の吸込口と吹出口を備え、前記筐体の内部で、前記吸込口と前記吹出口を連通する通風路と、次亜塩素酸を含有する次亜塩素酸水を保持するトレイと、前記トレイ内の次亜塩素酸水に含侵している円筒形状体のフィルタと、前記吸込口から吸込んだ空気を前記フィルタに接触させて前記吹出口から吹き出す送風装置と、前記次亜塩素酸を電気分解で生成する電解手段と、前記トレイにおいて前記電解手段を配置した電解槽と、前記トレイにおいて前記フィルタを配置した貯留槽と、前記電解槽と前記貯留槽を隔てる仕切り板と、前記仕切り板において前記電解槽で生成された次亜塩素酸の前記貯留槽への移動を引き起こす隙間と、前記貯留槽の水を前記電解槽へ移送する移送経路と、前記移送経路とポンプを用いて前記貯留槽の水を前記電解槽へ移送する循環機構と、電解促進剤が投入される前記移送経路上の投入点と、前記投入点の下流で前記移送経路を遮るように設けられたメッシュ状の電解促進剤ストッパーと、前記電解手段と送風手段と給水手段と循環手段を制御して殺菌運転を行う制御部とを備え、前記投入手段によって前記投入点に投入された電解促進剤は前記電解促進剤ストッパーで保持されたまま前記移送経路を流れる水にさらされるものである。
【００１０】
これにより、電解促進剤は前記電解促進剤ストッパーで保持されたまま移送経路を流れる水にさらされるので、安定して素早く溶かすことができる。
【００１１】
以下、本発明の実施の形態について図面を参照しながら説明する。
【００１２】
（実施の形態１）
図１に本実施の形態の空間殺菌装置１の外観を示す。
【００１３】
図１に示すように、略箱形状の本体ケース２（筐体）を備え、その両側面には室内空気を吸い込む略四角形状の吸気口３と、天面には浄化された空気を吹き出す略四角形状の吹出口４を設けている。
【００１４】
図２に示すように、本体ケース２内部には、通風路５と、送風装置６と、フィルタ７と、給水手段８と、排水タンク９と、トレイ１０と、制御部１１とが設けられている。
【００１５】
通風路５は、本体ケース２の内部において、フィルタ７と送風装置６を通る風路であって、吸気口３から吹出口４とを連通させている。
【００１６】
送風装置６は、本体ケース２の上部に設けられ、吹出口４に接続されている。送風装置６は、一例として、モータとモータにより回転する羽根車と該モータと羽根車を囲むケースとから構成されるいわゆるシロッコファンを備えることが望ましい。
【００１７】
フィルタ７は、その表面に複数の開口部を有する回転可能な中空円筒形状体であり、送風部６よりも気流の上流側において、フィルタ７の表面が空気風路を遮るように設けられている。
【００１８】
給水手段８と排水タンク９とトレイ１０は、本体ケース２の下部に設けられており、これらは本体ケース２から取り外すことが可能である。
【００１９】
給水手段８は、トレイ１０の水の減少量に合わせ、水を供給するものであり、これによりトレイ１０内の水は一定量に保たれる。
【００２０】
排水タンク９は、貯留槽部１２の内部の溶解液を排出するものである。
【００２１】
貯留槽部１２の内部の溶解液を排水タンク９に排出できるように排水手段１３を備えている。排水手段１３は、貯留槽部１２側に配置したポンプ１４とポンプ１４から排水タンク９側へ接続した配管１５とで構成している。
【００２２】
トレイ１０内には、電極１６を有する電解槽部１７（電解手段）と、排水手段１４と水を循環させる循環機構１８を有する貯留槽部１２とが設けられている。
【００２３】
電解槽部１７は、次亜塩素酸水を生成するものである。電解槽部１７では、給水手段８から供給された水に塩化ナトリウムを錠剤化した電解促進剤が投入され、溶解させることができる。次に、電極１６で電気分解して溶解液として次亜塩素酸水を生成するものである。
【００２４】
貯留槽部１２には、電解槽部１７から溶解液が供給されている。貯留槽部１２の内部において、フィルタ７の下部を前記溶解液に浸漬させている。
【００２５】
貯留槽部１２と電解槽部１７とは、仕切り板１９によって区切られている。仕切り板１９において、貯留槽部１２と電解槽部１７間での前記溶解液の移動を制限するために、仕切り板１９の一端側の下部に隙間２０を備えている。
【００２６】
電解促進剤として錠剤状の塩化ナトリウムを備えることも可能である。電解促進剤は本体ケース２とは別にボトルに保存されている。給水手段８から給水された水に溶解し、塩化ナトリウム水溶液とするものである。
【００２７】
循環機構１８は、貯留槽部１２の貯留水を電解槽部１７へと移送できるように貯留槽部１２側に配置したポンプ２１と、ポンプ２１から電解槽部１７側へ接続した移送経路２２とで構成している。移送経路２２は、図３に示すように、天面が開口した傾斜のついた配管（溝状の水路）であり、電極１６に近い側ほど低く傾斜させている。また移送経路２２は、電解促進剤を投入する投入点２３と、投入点２３よりも電解槽部１７に近い位置に設けられた電解促進剤ストッパー２４を備えている。この移送経路２２はポンプ２１に直結しており、その流路を電解促進剤の入れられる最小の幅とすることにより、移送経路２２を流れる水流を出来る限り速くしている。
【００２８】
電解促進剤ストッパー２４は、素材をメッシュ状とし、メッシュの開口部の径は電解促進剤を通さず、水流の妨げにならない限りの最小のものとする。水流の妨げにならず、溶けて小さくなった電解促進剤をとどめることが可能ならば、串状のものでもよい。
【００２９】
また、図３に示すように、ポンプ２１は、隙間２０を備えた仕切り板１９の前記一端側ではなく仕切り板１９の他端側に配置している。
【００３０】
貯留槽部１２の貯留水を電解槽部１７へ移送すると、電解槽部１７で生成した次亜塩素酸水は、隙間２０を通過して貯留槽部１２側へ供給されるものである。
【００３１】
本実施の形態では、貯留槽部１２の貯留水を電解槽部１７へ移送することにともない、隙間２０を通過して電解槽部１７から貯留槽部１２への貯留水（次亜塩素酸水）の移動を引き起こしトレイ１０内の貯留水を循環させることができるものである。
【００３２】
フィルタ７に電気分解した次亜塩素酸水を供給するためには、図３に示すようにフィルタ７の回転軸２５と仕切り板１９を並行にして設けることが好ましい。
【００３３】
通風路５は、吸気口３からフィルタ７までの往路とフィルタ７から吹出口４までの復路を隔壁２６によって分離され、フィルタ７が折り返し点となるように形成されている。
【００３４】
制御部１１は、本体ケース２内に設けられており、殺菌工程において運転制御を行うものであり、送風装置６と排水手段１３と電極１６と循環機構１８の動作を制御するものである。
【００３５】
続いて空間殺菌装置１の動作のうち本実施の形態に係る部分の主要な動作について説明する。
【００３６】
上記構成において、空間殺菌装置１の動作前に給水手段８によってトレイ１０内に水が給水され、錠剤状の電解促進剤を投入点２３に投入する。
【００３７】
空間殺菌装置１を動作させると、まず、循環機構１８が動作し、投入点２３に存在する電解促進剤は水流によって移送経路２２内を電解槽部１７側へ移動し、電解促進剤ストッパー２４で保持される。この時、電解促進剤は、移送経路２２内を流れる水流によって溶解し、電解槽部１７へ溶出した塩化ナトリウムが電極１６へ輸送される。
【００３８】
次に、電極１６が動作し、電解槽部１７内に存在する塩化ナトリウムが消費されて次亜塩素酸水が生成される。この次亜塩素酸水は仕切り板１９の隙間２０を通って貯留槽部１２に備えられたフィルタ７に供給される。
【００３９】
そして、殺菌運転において、送風装置６が動作すると、室内空間の空気は、吸気口３から空間殺菌装置１内に吸い込まれ、通風路５を流れてフィルタ７に接触し、吹出口４から空間殺菌装置１外の室内空間に排出される。この空気はフィルタ７と接触した際に除菌脱臭される。また、空気を所定の速度でフィルタ７に接触させることは次亜塩素酸の揮発特性を高め、吹出口４からの排出時には気体状の次亜塩素酸を十分に含んだ空気となり、除菌脱臭効果を発揮する。つまり、空間殺菌装置１は除菌脱臭効果を奏する。
【００４０】
従来から電解促進剤は粉末状で投入することも行われている。粉末状の電解促進剤は、毎運転ごとに定量を投入するために、測りとるもしくは個包装にしたパッケージを開封する等の作業が必要である。投入の定量性と簡便性を考慮して錠剤化した電解促進剤が用いられることがあるが、それは粉末状に比べトレイ１０内で自然に溶解しにくい。
【００４１】
本実施の形態では、錠剤状の電解促進剤を電解促進剤ストッパー２４において直接水流にさらす構成としたことで、錠剤状であってもトレイ１０内で素早く溶かすことができる。また、電解促進剤ストッパー２４を備えた移送経路２２の流路を電解促進剤の入れられる最小の幅としたことにより、電解促進剤は、より速い水流にさらされることになり、より素早くこれを溶かすことができる。
【００４２】
このようにして、トレイ１０内における電解促進剤の溶解時間を短くしたことで送風装置６の動作開始までの時間が短くなり、除菌脱臭効果を短時間で得ることができる空間殺菌装置を提供することができる。
【００４３】
本実施の形態において、送風装置６はシロッコファンを用いているが、送風を行える機構であればその他の手段を用いてもよく、その構成を制限するものではない。加えてフィルタ７は回転可能な円筒形状体のフィルタを使用しているが、次亜塩素酸と気流を接触させることができればよく、その構成を制限するものではない。
【００４４】
本実施の形態における電解促進剤は錠剤状の塩化ナトリウムを使用しているが、その成分を制限するものではなく、塩化物イオンを供給できるものであれば、塩酸等を用いることもでき、またｐＨの調整を目的として、りん酸等の緩衝剤を混合してもよい。また、電解促進剤は本実施の形態では本体ケース２外に配置したボトルに保管しているが、本体との直結や、取り外し可能な状態で本体に備え付けてもよく、その構成を制限するものではない。
【産業上の利用可能性】
【００４５】
本発明に係る空間殺菌装置は、次亜塩素酸による殺菌の運転時に、吸込口から取り込んだ空気をフィルタの内部に形成した揮発した次亜塩素酸が充満する空間に通風させることで、次亜塩素酸が充満する空間内で次亜塩素酸水への接触を行うことができるもので、医療施設や介護施設等の明確な除菌脱臭目的が存在する空間において、より短時間で空間の殺菌運転を行うことのできる空間殺菌装置として有用である。
【符号の説明】
【００４６】
１    空間殺菌装置
２    本体ケース
３    吸込口
４    吹出口
５    通風路
６    送風装置
７    フィルタ
８    給水手段
９    排水タンク
１０    トレイ
１１    制御部
１２    貯留槽部
１３    排水手段
１４    ポンプ
１５    配管
１６    電極
１７    電解槽部
１８    循環機構
１９    仕切り板
２０    隙間
２１    ポンプ
２２    移送経路
２３    投入点
２４    電解促進剤ストッパー
２５    回転軸
２６    隔壁
【図１】
2020049032.tif 000003
【図２】
2020049032.tif 000004
【図３】
2020049032.tif 000005